(57)【要約】      （修正有）【課題】運搬容器に収容された監視対象物の温度を監視する監視装置を提供する。【解決手段】監視装置は、運搬容器２００に収容された監視対象物の温度を監視する。この監視装置は、模擬体２（２Ａ、２Ｂ、２Ｃ）、温度検出器３及び記憶部を備えている。模擬体２は、監視対象物と共に運搬容器２００に収容されており、監視対象物を模して成る。温度検出器３は、模擬体２内に配置されており、当該監視対象物を模した模擬体２の温度を検出する。記憶部は、温度検出器３が検出した模擬体２の温度を記憶する。【選択図】図３
2019172268.tif 000002
【特許請求の範囲】
【請求項１】
運搬容器に収容された監視対象物の状態を監視する監視装置であって、
前記運搬容器に前記監視対象物と共に収容され、当該監視対象物を模した模擬体と、
前記模擬体内に配置され、前記模擬体の温度を検出する温度検出器と、
前記温度検出器が検出した前記模擬体の温度を記憶する記憶部と、
を備えることを特徴とする監視装置。
【請求項２】
前記模擬体は、前記監視対象物の熱伝導率と略同一なものであること、
を特徴とする請求項１に記載の監視装置。
【請求項３】
前記模擬体が、１つの前記運搬容器に複数収容され、
前記記憶部は、前記運搬容器の外に１機配置され、前記容器内の各前記模擬体の温度を収集し、
前記記憶部は、前記温度検出器が検出した前記模擬体の温度と当該模擬体を識別する情報とを関連付けて記憶すること、
を特徴とする請求項１又は２に記載の監視装置。
【請求項４】
時間を計時する計時部を更に備え、
前記温度検出器は、繰り返し前記模擬体の温度を検出し、
前記記憶部は、検出された前記模擬体の温度と前記計時部の時間とを関連付けて記憶すること、
を特徴とする請求項１乃至３の何れかに記載の監視装置。
【請求項５】
前記記憶部が記憶した前記模擬体の温度を外部機器に送信する送信部を更に備えること、
を特徴とする請求項１乃至４の何れかに記載の監視装置。
【発明の詳細な説明】
【技術分野】
【０００１】
本発明の実施形態は、監視対象物の状態を監視する監視装置に関する。
【背景技術】
【０００２】
運搬物の中には、生鮮食品や医薬品などもあり、運搬物を冷蔵、冷凍といった一定の温度に保った状態で運搬すべきものがある。このような運搬物は、密閉した内部を一定の温度に保った運搬容器に収容されて運搬されている。しかし、運搬過程では、振動、衝撃が運搬容器に加えられ運搬容器が損傷したり、気圧の変化など外部環境の変化などによって、運搬容器の庫内の温度が、運搬途中で変化することがある。運搬途中で庫内の温度が変化すると、運搬物の品質が低下することがある。
【０００３】
近年では、所謂ＩｏＴ（Internet of Things）が進展する最中、運搬物の品質が低下した原因を追求すべく運搬中の運搬物の状況、状態を監視、管理するトレーサビリティが注目されている。そして、運搬中の温度を管理するものとして、例えば、運搬容器の庫内に温度計を配置して、運搬容器の庫内の空気の温度を検出し、記憶する技術が提案されている。
【先行技術文献】
【特許文献】
【０００４】
【特許文献１】特開２００７−２６１６６４号公報
【発明の概要】
【発明が解決しようとする課題】
【０００５】
しかし、庫内の温度が変化したからといって、運搬物自体の温度が直ちに変化するわけではない。運搬物自体の温度変化は、庫内の温度が変化した後、庫内の温度に追従するよう徐々に変化する。そうだとすると、運搬容器の庫内の温度変化を確認しても、運搬物自体の温度が変化したか否か直ちに判断することができず、運搬物の品質が低下した原因を追究することが困難であった。
【０００６】
本実施形態は、上記課題を解決すべく、運搬容器の庫内の温度変化に影響されず、運搬容器に収容された監視対象物の温度を監視することができる監視装置を提供することを目的とする。
【課題を解決するための手段】
【０００７】
上記目的を達成するために、本実施形態の監視装置は、運搬容器に収容された監視対象物の状態を監視する監視装置であって、前記運搬容器に前記監視対象物と共に収容され、当該監視対象物を模した模擬体と、前記模擬体内に配置され、前記模擬体の温度を検出する温度検出器と、前記運搬容器の外に配置され、前記温度検出器が検出した前記模擬体の温度を記憶する記憶部と、を備えることを特徴とする。
【図面の簡単な説明】
【０００８】
【図１】第１の実施形態に係る監視装置の概略外観図である。
【図２】第１の実施形態に係る模擬体の模式図である。
【図３】第１の実施形態の監視装置の模擬体とロガーの接続状態を示す図である。
【図４】第１の実施形態のロガーの構成を示す構成図である。
【図５】第１の実施形態のロガーの処理手順を示すフローチャートである。
【図６】記憶部が記憶した温度データを示したグラフである。
【図７】変形例１に係るロガーの構成を示す構成図である。
【図８】変形例２に係る模擬体からロガーに検出した温度の送信状態を示す図である。
【図９】変形例３に係るロガーの構成を示す構成図である。
【図１０】送信部から外部機器に温度データを送信した状態を示す図である。
【発明を実施するための形態】
【０００９】
以下、第１の実施形態に係る監視装置１について図面を参照しつつ詳細に説明する。図１は、第１の実施形態に係る監視装置１の概略外観図である。図２は、第１の実施形態に係る模擬体２の模式図である。監視装置１は、運搬容器２００に収容された監視対象物１００の温度を監視する。監視対象物１００はキャップ２２で閉蓋された容器２１に収容された血液である。
【００１０】
この監視装置１は、監視対象物１００を模した模擬体２を有し、模擬体２は、監視対象物１００と共に運搬容器２００に収容される。模擬体２は、監視対象物１００の熱伝導率、凝固点及び形状と略同一であり、監視対象物１００のキャップと同一形状、同一サイズ及び同一材質のキャップ２２で閉蓋した、監視対象物１００を収容した容器と同一形状、同一サイズ及び同一材質の容器２１に、人工血液２３を収容して成る。監視装置１は、この模擬体２の温度を監視対象物１００の温度として検出する。
【００１１】
この監視装置１は、模擬体２の温度を検出する温度検出器３を備えている。温度検出器３は、模擬体２の温度を定期的に検出する。定期的とは、これに限定するものではないが、例えば、１分間隔で模擬体２の温度を検出する。この温度検出器３は、例えば、模擬体２の内部に配置される熱電対である。熱電対は、異なる種類の２本の金属線により構成される。この２種類の金属線の先端を接続させることで、熱電対には、熱起電力が生じる。この熱起電力は、金属の種類と接合点の温度差から生じるので、熱電対は、金属の種類、接合点の一方の温度、熱起電力の大きさから温度を測定することができる。
【００１２】
更に、この監視装置１は、温度検出器３が検出した模擬体２の温度を記憶するロガー４を備える。温度検出器３が容器２１内に設けられた模擬体２が運搬容器２００の庫内に収容されるのに対し、ロガー４は、運搬容器２００の庫外に設置される。ここで、運搬容器２００は、上部が開口している箱体であり、例えば発泡スチロール製である。開口は蓋２１０により閉蓋される。ロガー４は、蓋２１０の上に配置され、例えば、面ファスナーにより蓋２１０に固定される。
【００１３】
ロガー４と模擬体２は、ケーブル２４、５１によって有線で接続されている。即ち、模擬体２には、温度検出器３から延びるケーブル２４がある。ケーブル２４は、キャップ２２に圧入の上、キャップ２２を貫通し、容器２１の外部に延びる。容器２１外に延びたケーブル２４の先端には、コネクタ２５が形成されている。一方、ロガー４からも、先端にコネクタ５２が形成されたケーブル５１が延びている。ロガー４から延びたケーブル５１のコネクタ５２と、模擬体２から延びたケーブル２４のコネクタ２５とを接続する。これにより、ロガー４と模擬体２とが有線接続され、温度検出器３が検出した温度がロガー４に入力される。
【００１４】
尚、蓋２１０には開口が形成されており、ロガー４のケーブル５１は、この開口を貫通して運搬容器２００の庫内に延びている。開口とケーブル５１との隙間はコーキング剤６を塗布することで封止され、運搬容器２００と外部との空気の流入及び流出が阻止されている。
【００１５】
図３は、第１の実施形態の監視装置１の模擬体２とロガー４の接続状態を示す図である。図３に示すように、運搬容器２００は常温Ａ、冷蔵Ｂ及び冷凍Ｃの３つの区画に区切られている。各区画には、監視対象物１００である血液が配置されると共に、模擬体２Ａ、２Ｂ、２Ｃが配置されている。即ち、運搬容器２００内には、３つの模擬体２Ａ、２Ｂ、２Ｃが配置され、各模擬体２Ａ、２Ｂ、２Ｃから延びた３本のケーブル２４がある。
【００１６】
一方、ロガー４からは、模擬体２Ａ、２Ｂ、２Ｃに対応する３本のケーブル５１が延びている。この各ケーブル５１の先端に形成されたコネクタ５２と、各模擬体２Ａ、２Ｂ、２Ｃのケーブル２４の先端に形成されたコネクタ２５とが接続されている。これにより、各模擬体２Ａ、２Ｂ、２Ｃとロガー４が有線接続されている。即ち、各模擬体２Ａ、２Ｂ、２Ｃの内蔵された温度検出器３が検出した温度がロガー４に入力される。
【００１７】
図４は、ロガー４の構成を示す構成図である。ロガー４は、温度検出器３から模擬体２の温度を収集するとともに、収集した模擬体２の温度を時系列に沿って記憶する。図４に示すように、このロガー４は、計時部４１、制御部４２及び記憶部４３を有する。
【００１８】
計時部４１は、日付及び時間を計時する。計時部４１は、制御部４２と信号線を介して接続している。記憶部４３は、データを記憶するストレージで構成される。記憶部４３は、制御部４２と信号線を介して接続し、制御部４２から送信された温度データを記憶する。温度データとは、収集した模擬体２の温度とともに日時及び当該模擬体２を識別する情報を併せたデータである。模擬体２を識別する情報とは、複数の模擬体２を区別するための情報である。制御部４２は、プログラム内の命令を実行し、その結果を出力するＣＰＵやＭＰＵ、及び、命令の実行結果や処理対象データを一時的に記憶するメモリで構成される。
【００１９】
制御部４２は、ケーブル２４、５１を介して接続している温度検出器３から模擬体２の温度を収集する。また、制御部４２は、収集した模擬体２の温度とともに日時及び模擬体２の識別する情報を併せた温度データを記憶部４３に送信する。制御部４２が模擬体２を識別する方法としては、各模擬体２とそれぞれ有線接続しているケーブル２４、５１によって区別する。
【００２０】
具体的には、例えば、制御部４２には、予め、常温Ａの模擬体２は「Ａ」、冷蔵Ｂの模擬体２は「Ｂ」、冷凍Ｃの模擬体２は「Ｃ」と記憶させておく。常温Ａ、冷蔵Ｂ、冷凍Ｃそれぞれに配置された模擬体２Ａ、２Ｂ、２Ｃが有するケーブル２４とそれに対応するケーブル５１がそれぞれ有線で接続している。ここで、制御部は、常温Ａに配置された模擬体２の温度を収集したとする。制御部４２は、模擬体２の温度を収集する際に、模擬体２Ａと接続しているケーブル２４、５１から、この温度を収集したと判断する。即ち、制御部４２は、収集したこの温度は、常温Ａに配置された模擬体２Ａの温度であると判断する。そして、制御部４２は、収集したこの温度と模擬体２を識別する情報である「Ａ」を関連付ける。
【００２１】
ここで、本実施形態に係るロガー４の処理手順について説明する。図５は、ロガー４の処理手順を示すフローチャートである。
【００２２】
まず、制御部４２は、温度検出器３が検出した模擬体２の温度をケーブル２４、５１を介して温度検出器３から収集する（ステップＳ０１）。検出した温度を収集した制御部４２は、収集した温度がどの模擬体２のものか識別し、予め記憶している識別情報と温度を関連付ける（ステップＳ０２）。また、制御部４２は、計時部４１に、現在の日時を送信するよう指令を出し（ステップＳ０３）、日時を受信する（ステップＳ０４）。
【００２３】
日時を受信した制御部４２は、この日時とステップＳ０２で関連付けた識別情報と温度とを併せた温度データを記憶部４３に送信する（ステップＳ０５）。温度データの送信を受けた記憶部４３は、この温度データを記憶する（ステップＳ０６）。ユーザが、例えばロガー４の電源を切るなど監視終了の合図があれば、この処理は終了し（ステップＳ０７のＹＥＳ）、合図がなければステップＳ０１に戻り（ステップＳ０７のＮＯ）、このステップＳ０１からステップＳ０７を繰り返し行う。繰り返しとは、例えば１分間隔などユーザの所望の間隔で行うことができる。
【００２４】
このように、記憶部４３は、繰り返し検出した模擬体２の温度を模擬体２の識別情報と日時とともに温度データとして記憶する。そして、監視対象物１００の運搬終了後、ロガー４をパソコン等と接続することで、この記憶部４３が記憶した温度データを表示することができる。図６は、記憶部４３が記憶した模擬体２の温度データのグラフである。図６に示すように、ユーザは、１２時から１３時までの常温Ａの模擬体２Ａ、冷蔵Ｂの模擬体２Ｂ、冷凍Ｃの模擬体２Ｃの温度変化を把握することができる。ここで、１２時４０分頃から冷凍Ｃの模擬体２Ｃの温度が約−７℃から徐々に上昇し、１２時５０分頃には、冷蔵Ｂの模擬体２Ｂの温度を超え、約７℃となっている。即ち、この１２時４０分から５０分の間で、模擬体２Ｃの温度が上昇していることが分かる。
【００２５】
従来のように、運搬容器２００内の空気の温度を測定している場合、運搬容器２００内の温度を把握することはできる。しかし、運搬容器２００内の温度が変化しても直ちに監視対象物１００の温度が変化するわけではない。即ち、運搬容器２００内の温度を測定しても監視対象物１００がその時点で損傷したのか判断することはできない。よって、運搬容器２００内の空気の温度を検出しても、監視対象物１００が損傷した原因を割り出すことは困難であった。
【００２６】
例えば、運搬者が運搬容器２００の蓋２１０を開けた後、即座に閉めた場合、運搬容器２００内の温度は一時的に上昇するが、直ちに元の温度に戻るため、監視対象物１００自体の温度は変化しないことがある。従来のように、運搬容器２００内の温度を検出していると、監視対象物１００自体の温度が変化ない場合でも、温度は上昇したと記録され、原因追究の方向を誤る可能性があった。
【００２７】
一方、本実施形態では、監視対象物１００を熱伝導率、凝固点、形状が同一の模擬体２の温度を検出している。即ち、模擬体２と監視対象物１００の温度変化は同一となる。上記の例えの場合、監視対象物１００の温度は変化していないので、模擬体２の温度は変化していない。よって、監視対象物１００の損傷原因の追究について、誤った方向に結びつかず、より正確に原因を特定することができる。
【００２８】
以上のように、第１の実施形態に係る監視装置１は、運搬容器２００に監視対象物１００と共に収容され、当該監視対象物１００を模した模擬体２と、模擬体２内に配置され、模擬体２の温度を測定する温度検出器３と、運搬容器２００の外に配置され、温度検出器３が検出した模擬体２の温度を記憶する記憶部４３を備えるようにした。これにより、監視装置１は、監視対象物１００の温度を直接検出でき、監視対象物１００の損傷原因をより正確に特定することができる。
【００２９】
また、記憶部４３は、温度検出器３が検出した模擬体２の温度と当該模擬体２を識別する情報を関連付けて記憶するようにした。これにより、複数の模擬体２が運搬容器２００に収容されていても、複数のロガー４は必要なく、１つのロガー４で効率良く複数の模擬体２の温度を記憶することができる。
【００３０】
さらに、日時を計時する計時部４１を更に備え、温度検出器３は繰り返し模擬体２の温度を検出し、記憶部４３は、検出された模擬体２の温度と計時部４１の日時とを関連付けて記憶するようにした。これにより、運搬中に模擬体２の温度変化を時系列で把握することが可能となり、運搬経路と時間を関連付けて調査でき、監視対象物１００の損傷原因の追究をより容易に行うことができる。
【００３１】
なお、本実施形態では、監視対象物１００は血液であったため、模擬体２は血液と熱伝導率、凝固点、形状が略同一の人工血液２３としたが、運搬容器２００内の庫内温度よりも血液の温度変化に近いものであれば、人工血液２３に限らず、例えば流動パラフィンを容器２１に収容して用いてもよい。流動パラフィンは、熱伝導率に関しては血液に近く、酸化しにくい、沸点が３００℃以上で揮発し難い、引火点が２２４℃で取り扱いが容易であるとの利点を有する。
【００３２】
また、監視対象物１００は血液に限らず、例えば、生鮮食品、医薬品、飲料、精密機械であってもよい。監視対象物１００が、精密機械など固体物である場合、模擬体２は、凝固点を略同一にする必要はなく、熱伝導率及び形状を略同一にすれば足りる。
【００３３】
また、本実施形態では、監視対象物１００が血液という液体であったため容器２１及びキャップ２２を用いたが、必ずしも容器２１及びキャップ２２は必要ではない。例えば、野菜といった固体物の輸送の場合には、容器２１及びキャップ２２に入れることなく、野菜と共に直接運搬容器２００に模擬体２を入れてもよい。
【００３４】
（変形例１）
変形例１に係る監視装置１について、図面を参照しつつ説明する。図７は、変形例１に係るロガー４の構成を示す構成図である。図７に示すように、変形例１に係る監視装置１は、ロガー４に加速度センサ４５及び気圧センサ４６を更に備える。即ち、変形例１に係る監視装置１は、模擬体２の温度だけでなく、加速度センサ４５によって加速度及び気圧センサ４６によって気圧を検出する。
【００３５】
加速度センサ４５は、運搬容器２００に加わる加速度を検出する。加速度センサ４５は、制御部４２と信号線を介して接続し、検出した加速度を制御部４２に送信する。加速度を受信した制御部４２は、加速度センサ４５が検出した加速度と計時部４１から受信した日時とを関連付けて、記憶部４３に送信する。記憶部４３は、制御部４２から送られてきた日時が関連付けられた加速度を記憶する。
【００３６】
気圧センサ４６は、運搬容器２００の周辺の気圧を検出する。気圧センサ４６は、制御部４２と信号線を介して接続し、検出した気圧を制御部４２に送信する。気圧センサ４６から気圧を受信した制御部４２は、計時部４１から受信した日時と気圧を関連付けて、記憶部４３に送信し、記憶部４３は、この日時を関連付けられた気圧を記憶する。
【００３７】
このように、変形例１の監視装置１は、模擬体２の温度以外に加速度及び気圧を検出し、これを時系列に沿って記憶する。即ち、監視装置１は、温度、加速度、気圧を時系列に沿って対応付けることができる。例えば、加速度と温度を組み合わせて検出すると、加速度が生じた時点から温度が上昇していることが分かり、加速度によって運搬容器２００の気密性が破られたことで運搬容器２００内に大気が流入し温度が上昇したなどと、より原因を詳細に追究することができる。
【００３８】
以上のように、変形例１に係る監視装置１は、加速度センサ４５及び気圧センサ４６を更に備えるようにした。これにより、模擬体２の温度のみを検出した場合に比べて、より原因を詳細に追究することができる。なお、変形例１では、加速度及び気圧を模擬体２の温度と併せて検出したが、これに限るものではない。加速度及び気圧以外にも、位置、湿度など種々のものを検出してもよい。
【００３９】
（変形例２）
変形例２に係る監視装置１について、図面を参照しつつ説明する。図８は、変形例２に係る模擬体２から検出した温度をロガー４に送信した状態を示す図である。第１の実施形態では、温度検出器３が検出した温度をケーブル２４、５１を接続させた有線によってロガー４に送信していたが、変形例２に係る監視装置１は、無線により送信する。
【００４０】
この無線通信は、例えば、ＲＦＩＤ８（Radio Frequency IDentifier）により行う。ＲＦＩＤ８は、電波を用いて複数のデータを非接触で一括して送受信することができる。このＲＦＩＤ８は、ＲＦタグ８１、制御部８２、アンテナ８３、ケーブル８４を有する。
【００４１】
ＲＦタグ８１は、キャップ２２の上に配置される。このＲＦタグ８１は、ケーブル２４を介して温度検出器３と接続し、温度検出器３が検出した温度を受信する。ＲＦタグ８１は、模擬体２ごとに設けられる。即ち、ＲＦタグ８１は、各模擬体２Ａ、２Ｂ、２Ｃのそれぞれのキャップ２２の上に配置されている。ＲＦタグ８１には、当該ＲＦタグ８１が設けられた模擬体２の識別情報が予め記憶されている。ＲＦタグ８１は、アンテナ８３から電波を受信すると、模擬体２の温度と当該模擬体２の識別情報を関連付けた信号を発信する。
【００４２】
制御部８２は、ケーブル８４を介してアンテナ８３と接続する。制御部８２は、電波を発するようアンテナ８３に電流を流す。制御部８２が、アンテナ８３に電流を流し、アンテナ８３が電波を発することで、ＲＦタグ８１と無線通信を行う。また、制御部８２は、アンテナ８３が各ＲＦタグ８１から受信したデータに日時を付して、そのデータを記憶部４３に送信する。
【００４３】
アンテナ８３は、運搬容器２００の内部に配置される。アンテナ８３は、ケーブル８４と接続しており、運搬容器２００の外に配置されたロガー４と接続している。即ち、ケーブル８４は、運搬容器２００の外から蓋２１０が有する開口を貫通し、運搬容器２００の内部に延びている。このケーブル８４の一端は運搬容器２００の庫外のロガー４と接続し、他端は、運搬容器２００の内部に配置されたアンテナ８３と接続している。このアンテナ８３は、運搬容器２００内に配置された全ての模擬体２の信号を受信する。即ち、アンテナ８３は、１つで各模擬体２Ａ、２Ｂ、２Ｃの温度を受信する。
【００４４】
以上のように、変形例２に係る監視装置１は、温度検出器３が検出した温度を無線通信によって、ロガー４へ送信するようにした。有線接続の場合には、ユーザが手作業で模擬体２毎にケーブル２４、５１の接続を行っていたが、変形例２に係る監視装置１では、各模擬体２毎にＲＦタグ８１を設けるだけで済み、ケーブル２４、５１を接続する作業を行う必要がなく、ユーザの作業が簡便になる。
【００４５】
（変形例３）
変形例３に係る監視装置１について、図面を参照しつつ説明する。図９は、変形例３に係るロガー４の構成を示す構成図である。図１０は、送信部４４から外部機器７に温度データを送信したことを示す図である。変形例３に係る監視装置１は、ロガー４に送信部４４を更に設けている。送信部４４は、記憶部４３が記憶した温度データを外部機器７に送信する。
【００４６】
送信部４４は、例えば、ビーコンである。ビーコンは、模擬体２の温度と当該模擬体２の識別情報を関連付けた信号を一定間隔で発信する発信機である。ビーコンが、信号を発信すると、予めこの信号を受け取れるよう設定してある外部機器７が受信可能範囲内にあると、外部機器７は、信号を受信する。受信した外部機器７は、受信した信号情報を画面に表示する。つまり、運搬者が身に着けている外部機器７、例えばスマートフォンであれば、運搬中、ビーコンの信号を受信可能なので、運搬者は、運搬中も、定期的に監視対象物１００の温度を把握することができる。
【００４７】
また、外部機器７がインターネットに接続されている状態では、ＩｏＴ環境下に当該監視装置１が組み込まれることになり、運搬者のみならず、監視対象物１００の関係者も監視状況を把握することができる。即ち、送信部４４は、近距離無線通信が可能である他、ＷｉＦｉ規格に準拠していたり、移動体通信業者の回線網に接続可能であるようにし、送信部４４自体がインターネット接続可能であってもよい。
【００４８】
図１０に示すように、外部機器７には、２０１８年３月８日１２時５０分００秒の模擬体２Ａの温度が２０．１℃、模擬体２Ｂの温度が３．８℃、模擬体２Ｃの温度が７．３℃であることが表示される。これにより、運搬者は、冷凍Ｃに配置された模擬体２Ｃの温度が異常であることを運搬中に把握することができる。
【００４９】
以上のように、記憶部４３が記憶した模擬体２の温度を外部機器７に送信する送信部４４を更に備えるようにした。これにより、運搬後に監視対象物１００の状態を確認するトレーサビリティに加えて、運搬者は、運搬中も模擬体２の温度を確認することができる。そして、仮に、模擬体２の温度に異常が起きた場合であっても、運搬中に温度の異常を把握でき、この異常事態に対応することが可能となるので、監視対象物１００の損傷を未然に防止することができる。
【００５０】
（他の実施形態）
本明細書においては、本発明に係る実施形態を説明したが、この実施形態は例として提示したものであって、発明の範囲を限定することを意図していない。上記のような実施形態は、その他の様々な形態で実施されることが可能であり、発明の範囲を逸脱しない範囲で、種々の省略や置き換え、変更を行うことができる。実施形態やその変形は、発明の範囲や要旨に含まれると同様に、特許請求の範囲に記載された発明とその均等の範囲に含まれるものである。
【００５１】
本実施形態では、模擬体２の数は３つであったが、模擬体２の数はこれに限定されない。運搬容器２００の区切りがない場合には、模擬体２は１つでよいし、区切りが多数ある場合には、４つ、５つと各区画に対応した数の模擬体２を配置してもよい。また、本実施形態では、ロガー４は、運搬容器２００の蓋２１０に配置したが、模擬体２の温度を収集できるのであれば、運搬容器２００の内部に設けてもよい。
【符号の説明】
【００５２】
１  監視装置
２、２Ａ、２Ｂ、２Ｃ  模擬体
２１  容器
２２  キャップ
２３  人口血液
２４  ケーブル
２５  コネクタ
３  温度検出器
４  ロガー
４１  計時部
４２  制御部
４３  記憶部
４４  送信部
４５  加速度センサ
４６  気圧センサ
５１  ケーブル
５２  コネクタ
６  コーキング剤
７  外部機器
８  ＲＦＩＤ
８１  ＲＦタグ
８２  制御部
８３  アンテナ
８４  ケーブル
１００  監視対象物
２００  運搬容器
２１０  蓋
Ａ  常温
Ｂ  冷蔵
Ｃ  冷凍
【図１】
2019172268.tif 000003
【図２】
2019172268.tif 000004
【図３】
2019172268.tif 000005
【図４】
2019172268.tif 000006
【図５】
2019172268.tif 000007
【図６】
2019172268.tif 000008
【図７】
2019172268.tif 000009
【図８】
2019172268.tif 000010
【図９】
2019172268.tif 000011
【図１０】
2019172268.tif 000012